(57)【特許請求の範囲】
【請求項１】
角形タグを受入れることができる大きさのタグ受入れ孔を設けたロータリー円盤を駆動回転することにより、ホッパー内の角形タグを上記のタグ受入れ孔を通して一枚ずつタグ送出通路に送り出すように構成したタグ送出装置であって、
上記のロータリー円盤を取付けた基板に、ロータリー円盤の回転接線方向に向けて上記のタグ送出通路を延設する一方、上記ロータリー円盤の底面には、上記タグ受入れ孔を通って基板との間に進入して来る角形タグを、ロータリー円盤の回転に従って円周方向に移動することができるガイド通路を凹設すると共に、上記基板の底面側に設けた支持板に対して、タグ送出ガイド部材をその中央部を支点とした均等支持状態に取付け、且つ、この支点部分を弾性的に浮き沈み自在に構成することにより、上記基板に設けた嵌込穴から基板上に突出するタグ送出ガイド部材を、基板面に対して弾性的に出没するように構成して、このタグ送出ガイド部材が上記ロータリー円盤の回転に従って上記ガイド通路の部分から外れると、ロータリー円盤の底面に押されて降下し、ガイド通路の部分に掛ると押圧が解かれて基板上に突出して、移動して来る角形タグをロータリー円盤の半径方向にガイドしつつ、上記のタグ送出通路に向けて送り出すことを特徴とするタグ送出装置。
【請求項２】
ロータリー円盤に対して、その円周方向に等間隔をあけて複数のタグ受入れ孔を設ける一方、ロータリー円盤の外周部には、タグ受入れ孔に対応させて複数のロータ係止爪を円周方向に等間隔をあけて突設すると共に、このロータリー円盤を取付けた基板上には、ロータリー円盤の回転に従って上記のロータ係止爪に押されて回動して、前記タグ送出ガイド部材によって半径方向に送り出されて来る角形タグを、先端側を上方に立ち上げた状態に設けた前記タグ送出通路内に押し上げることができるように構成したタグ押上げレバーを取付けたことを特徴とする請求項１記載のタグ送出装置。
【請求項３】
前記タグ送出通路の入口部分に、前記ロータリーテーブルの回転に従って角形タグが前記タグ押上げレバーによってタグ送出通路内に押し上げられて来ると、この角形タグに押されてタグ送出通路の入口部分から後退し、タグ押上げレバーによる押し上げが済んで角形タグによる押圧が解かれると、元の位置に復帰して押し上げられた角形タグを下から支持するように構成したタグ逆流防止部材を設けたことを特徴とする請求項１又は２記載のタグ送出装置。
【請求項４】
円周方向に等間隔をあけて複数のタグ受入れ孔を設けた前記ロータリー円盤の底面に、隣り合う各タグ受入れ孔の略中間に位置する回転方向の一側縁を角形タグを移動させるガイド縁と成し、反対側の他側縁を各受入れ孔の縁に沿わせた形状の厚肉形状のガイド底面部を、中心部より半径方向に向けて等間隔に複数突設して、これ等各ガイド底面部によって挟まれた薄肉形状の各間隔面部分を、ロータリー円盤の回転に従って角形タグを円周方向に向けて移動することができるガイド通路と成したことを特徴とする請求項１、２又は３記載のタグ送出装置。
【発明の詳細な説明】
【０００１】
【発明の属する技術分野】
本発明は、例えば駐車場やその他の施設等を利用する際に、入場券やサービス券として使用されるタグや代替コインを発行する発行装置等に用いて好適なタグ送出装置に関するものである。
【０００２】
【従来の技術】
上述したタグや代替コイン用の発行装置に使用されるタグ送出装置に付いては、例えば、特開平８−１０１９３８合公報に見られるように、ホッパーに貯留されている円形コイン状のメダルを、メダル類装填孔を備える回転円盤を回転させることにより、順次１枚ずつ送出通路に向けて送り出し、送出通路を経た後に、メダル払出孔からメダルを外部に払い出すように構成した「メダル類送出装置」が知られている。
【０００３】
ところで、駐車場における入場券として上述したようなメダル若しくはタグを利用する場合のメダル又はタグの形状について考察すると、丸い形状のメダルやタグは、まさしく外周が丸いので、取り扱い時に手から滑ったりして落し易く、また、落下した場合には転がってしまい、何処までも転がり続けて例えば発券機の下や、後ろ側等に入って拾いにくくなったり、紛失してしまう事さえ有る。混み合う駐車場等の入口、出口においては、このようなトラブルはできるだけ避けたいものであり、取り扱い上問題改善が望まれるものであって、できれば四角のタグを用いることが好ましい。
【０００４】
【発明が解決しようとする課題】
然るに、前述した公報に記載されている「メダル類送出装置」は、丸いコイン状のメダルを使用しており、この丸いメダルを送出することを前提に構成されているため、上述した四角い形状のタグ（以下角形タグと云う）を取り扱った場合には、上記公報に記載の送出装置ではこの角形タグをうまく搬送して送出することが困難であって、送出の過程で引掛ったりロックしてしまう等の不具合が発生する問題があった。
【０００５】
従って本発明の技術的課題は、四角い形状の角形タグを、ロータリー円盤の回転に従って一枚ずつスムーズに送出通路に向けて送出できるように工夫したタグ送出装置を提供することである。
【０００６】
【課題を解決するための手段】
上記の技術的課題を解決するために本発明が講じた手段は以下の如くである。
【０００７】
（１）  前記請求項１に係るタグ送出装置は、角形タグを受入れることができる大きさのタグ受入れ孔を設けたロータリー円盤を駆動回転することにより、ホッパー内の角形タグを上記のタグ受入れ孔を通して一枚ずつタグ送出通路に送り出すように構成したタグ送出装置であって、上記のロータリー円盤を取付けた基板に、ロータリー円盤の回転接線方向に向けて上記のタグ送出通路を延設する一方、上記ロータリー円盤の底面には、上記タグ受入れ孔を通って基板との間に進入して来る角形タグを、ロータリー円盤の回転に従って円周方向に移動することができるガイド通路を凹設すると共に、上記基板の底面側に設けた支持板に対して、タグ送出ガイド部材をその中央部を支点とした均等支持状態に取付け、且つ、この支点部分を弾性的に浮き沈み自在に構成することにより、上記基板に設けた嵌込穴から基板上に突出するタグ送出ガイド部材を、基板面に対して弾性的に出没するように構成して、このタグ送出ガイド部材が上記ロータリー円盤の回転に従って上記ガイド通路の部分から外れると、ロータリー円盤の底面に押されて降下し、ガイド通路の部分に掛ると押圧が解かれて基板上に突出して、移動して来る角形タグをロータリー円盤の半径方向にガイドしつつ、上記のタグ送出通路に向けて送り出すことを特徴としている。
【０００８】
（２）  前記請求項２に係るタグ送出装置は、ロータリー円盤に対して、その円周方向に等間隔をあけて複数のタグ受入れ孔を設ける一方、ロータリー円盤の外周部には、タグ受入れ孔に対応させて複数のロータ係止爪を円周方向に等間隔をあけて突設すると共に、このロータリー円盤を取付けた基板上には、ロータリー円盤の回転に従って上記のロータ係止爪に押されて回動して、前記タグ送出ガイド部材によって半径方向に送り出されて来る角形タグを、先端側を上方に立ち上げた状態に設けた前記タグ送出通路内に押し上げることができるように構成したタグ押上げレバーを取付けることを特徴としている。
【０００９】
（３）  前記請求項３に係るタグ送出装置は、前記タグ送出通路の入口部分に、前記ロータリーテーブルの回転に従って角形タグが前記タグ押上げレバーによってタグ送出通路内に押し上げられて来ると、この角形タグに押されてタグ送出通路の入口部分から後退し、タグ押上げレバーによる押し上げが済んで角形タグによる押圧が解かれると、元の位置に復帰して押し上げられた角形タグを下から支持するように構成したタグ逆流防止部材を設けることを特徴としている。
【００１０】
（４）  前記請求項４に係るタグ送出装置は、円周方向に等間隔をあけて複数のタグ受入れ孔を設けた前記ロータリー円盤の底面に、隣り合う各タグ受入れ孔の略中間に位置する回転方向の一側縁を角形タグを移動させるガイド縁と成し、反対側の他側縁を各受入れ孔の縁に沿わせた形状の厚肉形状のガイド底面部を、中心部より半径方向に向けて等間隔に複数突設して、これ等各ガイド底面部によって挟まれた薄肉形状の各間隔面部分を、ロータリー円盤の回転に従って角形タグを円周方向に向けて移動することができるガイド通路と成すことを特徴としている。
【００１１】
上記（１）で述べた請求項１に係る手段によれば、角形タグをロータリー円盤に設けたタグ受入れ孔に嵌込んで移動するのではなく、このタグ受入れ孔を通ってロータリー円盤と基板との間に進入して来る角形タグを、ロータリー円盤の底面に凹設したガイド通路が押して移動させるため、円形でない角形タグであっても、ロータリー円盤の回転に従ってこれを円周方向に向けて円滑に、且つ、正確に移動することができると共に、この様にロータリー円盤のガイド通路によって円周方向に移動される角形タグは、その移動通路上に突出するタグ送出ガイド部材によって移動が制止され、且つ、姿勢を正した状態にして、ロータリー円盤の回転接線方向に延設したタグ送出通路に向けて送り出すことを可能にする。
【００１２】
更に上記請求項１に係る手段によれば、タグ送出ガイド部材は基板に対してユニバーサルな状態に取付けられているため、角形タグの如何なる挙動に対してもこれをロックしたりする心配がなく、また、ロータリー円盤の底面に凹設されているガイド通路に掛ると押圧が解かれて基板上に突出し、このガイド通路から外れるとロータリー円盤の底面に押されて降下する、所謂出没自在な構成であるため、ロータリー円盤の回転に支障を及ぼすことがなく、移動されて来る角形タグを一枚ずつ姿勢を正した状態で半径方向、即ち、タグ送出通路の方向へ順次送り出すことを可能にする。
【００１３】
上記（２）で述べた請求項２に係る手段によれば、前記ロータリー円盤のガイド通路と、基板上に突出するタグ送出ガイド部材とによって姿勢を正した状態で送り出されて来る角形タグを、タグ押上げレバーが回動してタグ送出通路内に強制的に押し上げるため、移動されて来る角形タグがタグ送出通路の入口部分で係止したりロックしたりせずに、円滑にタグ送出通路内に送り込むことができるものであって、ロータリー円盤の回転に従って、角形タグをタグ送出通路内に対して整列した状態で連続的に送出することを可能にする。
【００１４】
上記（３）で述べた請求項３に係る手段によれば、前記タグ押上げレバーによって、上方に立ち上がった状態に設けられたタグ送出通路に強制的に押し上げられて来る角形タグを、タグ逆流防止部材が下から支持するため、上記タグ押上げレバーによる押し上げが外れた後に、角形タグが自重によって下方に逆流（降下）する問題を解消することができる。
【００１５】
上記（４）で述べた請求項５に係る手段によれば、ホッパー内の角形タグが回転するロータリー円盤の各タグ受入れ孔を通って底面側のガイド通路内に入ると
、厚肉状のガイド底面部の一側縁に形成されているガイド縁が、上記タグ受入れ孔を通って入ってきた角形タグを押してタグ送出通路の方向に移動することができるものであって、ロータリー円盤の回転に利用して角形タグをタグ送出通路の方向にスムーズに移動させることを可能にする。
【００１６】
以上の如くであるから、上記（１）〜（４）の手段によって上述した技術的課題を解決して、前記従来技術の問題点を解消することができる。
【００１７】
【発明の実施の形態】
以下に、本発明に係るタグ送出装置の実施の形態を図面と共に説明すると、図１は本発明の全体を説明した斜視図、図２乃至図５は本発明によるタグ送り出しの状況を順番に説明した要部の正面図であって、これ等の図面に於いて、符号１で全体的に示したタグ送出装置は、基台１Ｚによって斜めに支持された基板３と、この基板３の上面に取付けられたカバー板１Ａ（ガイド板）と、カバー板１Ａの前面に取付けたタグ貯留用のホッパー２と、このホッパー２の内部で駆動回転して、ホッパー２内の角形タグＴＧ（図２乃至図５参照）を１枚ずつ送出するロータリー円盤２０と、基板３の後方部に立ち上げた状態で取付けた上記角形タグＴＧの送出通路４Ａによって構成されている。尚、図中４は送出通路４Ａの支持台を示す。
【００１８】
上記のロータリー円盤２０には、その円周方向に等間隔をあけて複数個（図面の場合は３個）のタグ受入れ孔２１…が形成されている。各タグ受入れ孔２１…は角形タグＴＧを受け入れて底面側に落し込むことができる大きさに形成されていて、ロータリー円盤２０は上記基台１Ｚの内部に取付けたモータ２５Ｍ（図７乃至図９参照）によって図２乃至図５に於いて時計回転方向に回転する仕組に成っている。
【００１９】
更に図中、２５はロータリー円盤２０の中心に取付けた上記モータ２５Ｍの回転軸、３Ｔは上記ロータリー円盤２０の周囲を囲むように設けた略環状のカバー壁で、このカバー壁３Ｔの内側に設けられている円形の回転室３Ａ（図６参照）の内部で、上記のロータリー円盤２０が図面上時計回転方向に回転するように構成されている。
【００２０】
図６は、上記のロータリー円盤２０を取外した回転室３Ａ部分の正面図であって、前述した基板３の面に略環状のカバー壁３Ｔを設けることに構成されるこの回転室３Ａの中心部には、前記モータ２５Ｍの回転軸２５を挿通する穴３Ｋが穿設され、また、上記カバー壁３Ｔの左上側の一部は開口されていて、この開口部が、ロータリー円盤２０の回転接線方向に向けて延設されている上記のタグ送出通路４Ａに通じるタグ送出口３Ｘを構成している。
【００２１】
図１０の（イ）図は上記ロータリー円盤２０を上面側から見た斜視図、（ロ）図は底面側から見た斜視図であって、図示したようにロータリー円盤２０の全体は、円盤体２０′の表面側に前記のタグ受入れ孔２１…を開口した厚肉で、且つ、円盤体２０′よりも小径に造った円盤部２１′を同心的に形成する一方、裏面側には、全体が図示したように略鳥首形状を成す厚肉状のガイド底面部２３…を、前記モータ２５Ｍの回転軸２５を取付ける取付穴２４′を中心にして略放射状に形成した形状に造られている。また、図中２２…は各タグ受入れ孔２１…に対応させて上記円盤部２１′の外周部に突設したロータ係止爪である。
【００２２】
上記の各ガイド底面部２３…は、各タグ受入れ孔２１…の略中間に位置する回転方向の一側縁を、各タグ受入れ孔２１…から進入して来る角形タグＴＧを、ロータリー円盤２０の回転方向に移動するガイド縁２３Ａとすると共に、このガイド縁２３Ａの反対側の縁を各タグ受入れ孔２１の縁に沿った円弧縁と成した略鳥首形状に造られていて、等間隔に形成されたこれ等各ガイド底面部２３…によって挟まれた各薄肉状の間隔部が、外周面を開放したタグ移動用のガイド通路２０Ｗ…に成っている。尚、図１０の（イ）図に於いて、２１Ａ…は各タグ受入れ孔２１の縁を面取りした面取り部である。
【００２３】
更に図６に於いて、２７は上記基板３に設けた嵌込穴３Ｚより、基板上面に向けて出没自在に設けたタグ送出ガイド部材で、このガイド部材２７は上記ロータリー円盤２０の回転によって上記ガイド通路２０Ｗに収められた状態で移送されて来る角形タグＴＧを、前記タグ送出口３Ｘを通してタグ送出通路４Ａに向けて送出できるように、上記タグ送出口３Ｘの近くにロータリー円盤２０の回転方向に直交する方向、即ち、半径方向に沿わせて設けられている。
【００２４】
図７と図８は、上記タグ送出ガイド部材２７の取付け構造を説明した要部の正面図と側面図、図９はその斜視図であって、これ等の図面に於いて２６は基板３の下側部に設けた支持板で、この支持板２６の底面側に前述したモータ２５Ｍが取付けられていて、このモータ２５Ｍの回転軸２５が支持板２６上に突出している。更に図中、２８Ａは支持板２６の一側部に固定したブラケット、２８はこのブラケット２８Ａに上下回動自在に取付けた支持アーム、２９は上記タグ送出ガイド部材２７の中央部を上記支持アーム２８の先端部に取付ける取付軸で、タグ送出ガイド部材２７はこの取付軸２９の部分を支点とした均等支持状態、即ち、ユニバーサル状態に取付けられている。
【００２５】
更に図７と図８に於いて、２９′は上記支持アーム２８の下端部２８Ｂと、支持板２６側の取付片２６Ａとの間に取付けた牽引スプリングで、タグ送出ガイド部材２７の全体は、このスプリング２９′の牽引力によって常に上方に突出する弾性作用が付与されている。
【００２６】
以上の如く基板３の上面に対して出没自在に設けられたタグ送出ガイド部材２７は、前記ロータリー円盤２０の回転に従ってその底面に設けたガイド底面部２３によって上面が押圧されると（図２、図４参照）、基板３の上面から押圧降下されるが、このガイド底面部２３から外れてガイド通路２０Ｗに掛ると（図２参照）、押圧が解かれて基板３上に突出して、ロータリー円盤２０の回転に従って移動して来る角形タグＴＧの移動を制止し、且つ、その姿勢を正しつつ、上記のタグ送出口３Ｘを経てタグ送出通路４Ａに向けて順次送り出す仕組に成っている。（図３参照）
【００２７】
次に、図２乃至図５に於いて、６は中間部を軸６Ａによって上記基板３に取付けたカバー板１Ａ側の突片１Ｂに回動自在に取付けた回動アーム、８はこの回動アーム６の先端部に軸７を用いて回動自在に取付けたタグ押上げレバー、６Ｓは回動アーム６の根端部とカバー板１Ａとの間に張設した牽引スプリング、８Ｓはタグ押上げレバー８と回動アーム６との間に張設した牽引スプリング、３Ｘ′は上記カバー板１Ａ側に設けたガイド長孔、６Ｂはこのガイド長孔３Ｘ′に嵌込んだ上記回動アーム６側のタグ押上げ軸で、上記のタグ押上げレバー８は、図２に示すように上記各スプリング６Ｓ，８Ｓの牽引作用によって、前記ロータリー円盤２０の円盤部２１′の外周部に突設されているロータ係止爪２２の回転範囲中に突設されている。
【００２８】
以上の如く構成したタグ押上げレバー８は、図４及び図５に示す如く図面上時計回転方向に回転して来るロータ係止爪２２に押されて、回動アーム６と一体に軸６Ａを中心に反時計回転方向に回動するため、タグ押上げ軸６Ｂも一緒にガイド長孔３Ｘ′に沿って図面上右斜め上方に回動して、前記タグ送出ガイド部材２７とロータリー円盤２０の回転によって、姿勢を正した状態でタグ送出通路４Ａの入口部分に送り込まれて来る角形タグＴＧの下端縁を押し上げ、角形タグＴＧをタグ送出通路４Ａ内に押し込む仕組に成っている。（図５参照）
【００２９】
また、上記タグ押上げレバー８は、ロータリー円盤２０の回転が進んで図２に示したようにロータ係止爪２２の押圧から外れると、牽引スプリング６Ｓによって回動アーム６と一体に図２に示した原位置に戻って、上記タグ押上げ軸６Ｂによる角形タグＴＧへの押上げを解くが、本発明ではこの押上げを解くことによる角形タグＴＧの下方への逆流（降下）を、タグ逆流防止部材が防止する仕組に成っている。
【００３０】
図６に於いて、９は根端部を前記基板３の一側部に軸９Ｘを用いて回動自在に軸支したアーム構造のタグ逆流防止部材で、９Ｋはこの防止部材９の先端部に取付けた逆流防止軸、３Ｐは基板３に設けた逆流防止軸９Ｋ用のガイド長孔、９Ｓは逆流防止軸９Ｋが図６並びに図２、図３に示す如く前記タグ送出通路４Ａの通路上に位置するようにタグ逆流防止部材９を牽引回動するスプリングであって、この逆流防止軸９Ｋは、図４の如く角形タグＴＧが上記のタグ押上げレバー８側の押上げ軸６Ｂに押上げられてタグ送出通路４Ａ内に押し込まれて来ると、この角形タグＴＧに押されてタグ送出通路４Ａの通路外に移動するが、図５に示すように上記押上げ軸６Ｂによる押上げが済んで、角形タグＴＧが完全にタグ送出通路４Ａ内に押し込まれると、角形タグＴＧによる押圧が解かれて上記スプリング９Ｓによって再び原位置（図６の位置）に戻って、押し込まれた角形タグＴＧの下側縁を支えるため、角形タグＴＧの下方への降下（逆流）を防止できる仕組に成っている。
【００３１】
本発明に係るタグ送出装置は以上述べた如き構成であるから、ホッパー２に角形タグＴＧを入れてロータリー円盤２０をモータ２５Ｍで回転すれば、タグ受入れ孔２１を通ってロータリー円盤２０の底面と基板３の間に進入して来る角形タグＴＧを、ロータリー円盤２０の回転に従ってガイド通路２０Ｗが１枚ずつ順番にタグ送出通路４Ａに向けて送出することができる。
【００３２】
また、上記角形タグＴＧの送出に際しては、ロータリー円盤２０の回転による移動通路上にタグ送出ガイド部材２７を突出して、角形タグＴＧの円周方向への移動を制止してその姿勢を正しつつ、タグ送出通路４Ａに向けて半径方向に移動させるため、角形タグＴＧを整列した状態でタグ送出通路４Ａの方向へ送り出すことができる。
【００３３】
更に、タグ送出ガイド部材２７によって整列した状態で半径方向に移動して来る角形タグＴＧは、タグ押上げレバー８側の押上げ軸６Ｂによって１枚ずつタグ送出通路４Ａ内に押し込まれ、次いで、この押し込まれた角形タグＴＧの下側縁を、タグ逆流防止部材９の逆流防止軸９Ｋが下から支えて逆流を防止するため、角形タグＴＧがタグ送出通路４Ａの入口部分で引掛ったりロックしたりすることなく、１枚ずつ整列させた状態でタグ送出通路４Ａにスムーズに送出することができる。
【００３４】
【発明の効果】
以上述べた次第で、本発明に係るタグ送出装置によれば、角形タグを支障無くスムーズに送出することができるものであって、落しても転がらない四角いタグを送出できる点で、特に、駐車場やその他の各種施設に於いて、入場券やサービス券としてタグを用いる場合に、このタグを発行する発行装置に組込むことによって、極めて有益な効果を発揮することができる。
【図面の簡単な説明】
【図１】  本発明に係るタグ送出装置の全体を示した斜視図である。
【図２】  ホッパーを取外して示した本発明の要部の正面図である。
【図３】  角形タグがタグ送出ガイド部材に当って半径方向に移動している状態を示した本発明の要部の正面図である。
【図４】  送り込まれた角形タグがタグ押上げレバーによって押上げられている状態を示した本発明の要部の正面図である。
【図５】  送り込まれた角形タグの下側縁をタグ逆流防止部材が支持している状態を示した本発明の要部の正面図である。
【図６】  ロータリー円盤を取外してタグ逆流防止部材の構成を明らかにした本発明の要部の正面図である。
【図７】  図６に示したＡ矢視方向から見た本発明の全体図である。
【図８】  図６に示したＢ矢視方向から見た本発明の全体図である。
【図９】  タグ送出ガイド部材とその取付部の構成を説明した斜視図である。
【図１０】  （イ）図はロータリー円盤を上面側から見た斜視図、（ロ）図はロータリー円盤を底面側から見た斜視図である。
【符号の説明】
ＴＧ            角形タグ
１              タグ送出装置
２              ホッパー
３              基板
３Ｚ            嵌込穴
４Ａ            タグ送出通路
６              回動アーム
８              タグ押上げレバー
９              タグ逆流防止部材
２０            ロータリー円盤
２０Ｗ          ガイド通路
２２            ロータ係止爪
２３            ガイド底面部
２３Ａ          ガイド縁
２６            支持板
２７            タグ送出ガイド部材
２９            取付軸
２９′          スプリング
【図１】
0003942382.tif 000002
【図２】
0003942382.tif 000003
【図３】
0003942382.tif 000004
【図４】
0003942382.tif 000005
【図５】
0003942382.tif 000006
【図６】
0003942382.tif 000007
【図７】
0003942382.tif 000008
【図８】
0003942382.tif 000009
【図９】
0003942382.tif 000010
【図１０】
0003942382.tif 000011